(57)【要約】【課題】商品販売データ処理装置において、利便性及び作業効率の向上を実現する。【解決手段】操作者と顧客との間に位置し、商品の売上処理を実行する商品販売データ処理装置としてのＰＯＳ端末１において、非接触ＩＣカードに対し電波を介してデータの読取／書込を行う非接触カードリーダ／ライタと、顧客側に設けられ、非接触カードリーダ／ライタに非接触ＩＣカードに対するデータの読取／書込を行わせるための操作を受け付ける操作部としてのタッチパネル８ａと、を備える。これにより、顧客が操作部としてのタッチパネル８ａを操作することで非接触カードリーダ／ライタは非接触ＩＣカードに対しデータの読取／書込を行うようになり、操作者によって行われていた操作が顧客によって行われるので、ＰＯＳ端末１における利便性及び作業効率が向上する。【選択図】　　図２
2004005192.tif 000002
【特許請求の範囲】
【請求項１】
操作者と顧客との間に位置し、商品の売上処理を実行する商品販売データ処理装置において、
カードに対し電波を介してデータの読取／書込を行う非接触カードリーダ／ライタと、
顧客側に設けられ、前記非接触カードリーダ／ライタに前記カードに対するデータの読取／書込を行わせるための操作を受け付ける操作部と、
を備えることを特徴とする商品販売データ処理装置。
【請求項２】
顧客側に設けられ、情報を画面に表示する表示器を備え、
前記操作部は前記表示器の画面上に設けられていることを特徴とする請求項１記載の商品販売データ処理装置。
【発明の詳細な説明】
【０００１】
【発明の属する技術分野】
本発明は、商品販売データ処理装置に関する。
【０００２】
【従来の技術】
現在、現金の代わりに決済手段として機能する各種カード、例えば、クレジットカード、デビットカード決済に用いられるキャッシュカード、電子マネーを扱うためのカード等が広く普及している。これらのカードの種類としては、磁気カード、接触ＩＣ（Ｉｎｔｅｇｒａｔｅｄ　Ｃｉｒｃｕｉｔ）カード、非接触ＩＣカード等がある。
【０００３】
特に、非接触ＩＣカードは、高いセキュリティ機能や優れた利便性等を有しているので、近年、電子マネーを取り扱うプリペイドカードとして採用されている。この非接触ＩＣカードによるプリペイドカードでは、残額が少なくなったプリペイドカードに電子マネーを入金（チャージ）することができる。
【０００４】
このような非接触ＩＣカードを用いた電子決済を行う店舗等には、図１０に示すように、非接触ＩＣカードに対しデータの読取／書込を行う専用の非接触カードリーダ／ライタ１００を商品販売データ処理装置１０１に接続して設置する必要がある。
【０００５】
通常、この非接触カードリーダ／ライタ１００を用いて行われる電子決済では、操作者が口頭で顧客に決済方法を尋ね、これに応じて顧客が口頭で操作者に決済方法、例えば電子マネーによる決済を知らせる必要がある。また、電子マネーが入金された非接触ＩＣカードの残高照会は、操作者が商品販売データ処理装置１０１を操作することによって行われる。
【０００６】
【発明が解決しようとする課題】
しかしながら、操作者が口頭で顧客に決済方法を尋ねることは、顧客毎に行う必要があるので、操作者にとってかなりの負担になる。また、顧客が口頭で操作者に決済方法を知らせることは、顧客にとっても負担になり、言語又は音声障害者等にとって困難である。これらは、商品販売データ処理装置１０１の利便性を低下させ、さらに、作業効率を低下させる要因となり問題である。
【０００７】
また、商品販売データ処理装置１０１による非接触ＩＣカードの残高照会中には、売上処理を行うことができないので、これも作業効率を低下させる要因となり問題である。
【０００８】
本発明の目的は、利便性及び作業効率の向上を実現することができる商品販売データ処理装置を提供することである。
【０００９】
【課題を解決するための手段】
本発明は、操作者と顧客との間に位置し、商品の売上処理を実行する商品販売データ処理装置（例えばＰＯＳ端末）において、カード（例えば非接触ＩＣカード）に対し電波を介してデータの読取／書込を行う非接触カードリーダ／ライタと、顧客側に設けられ、前記非接触カードリーダ／ライタに前記カードに対するデータの読取／書込を行わせるための操作を受け付ける操作部（例えばタッチパネル）と、を備える。
【００１０】
したがって、顧客が操作部を操作することで非接触カードリーダ／ライタはカードに対しデータの読取／書込を行うようになり、操作者によって行われていた操作が顧客によって行われる。
【００１１】
【発明の実施の形態】
本発明の実施の一形態を図１ないし図９に基づいて説明する。本実施の形態は、商品販売データ処理装置をＰＯＳ端末１に適用した一例である。図１は、操作者側から見たＰＯＳ端末１を示す外観斜視図、図２は、顧客側から見たＰＯＳ端末１を示す外観斜視図である。
【００１２】
ＰＯＳ端末１は、筐体状に形成された本体ケース１ａを備え、ドロワ２上に載置されており、このドロワ２の引出し３の開閉を制御する。このＰＯＳ端末１は、本体ケース１ａの上面に操作者の操作を受け付ける領域を備え、その操作領域には、各種のキーが集合するキーボード４、図示しない鍵によって切り換え操作されるコントロールキー５、レシートを排出するレシート発行口６が設けられている。操作者から見て、キーボード４及びコントロールキー５は右側の領域、レシート発行口６は左側の領域にそれぞれ配置されている。
【００１３】
キーボード４には、金額や販売数量等を入力するための置数キー、売上処理において売上合計額の算出を宣言するための小計キー、売上処理において売上処理の締めを宣言するための締めキー、非接触ＩＣカード（以下、ＩＣカードＣとする）に入金された電子マネーによる電子商取引決済を宣言するための電子マネーキー、現金による電子商取引決済を宣言するための現金キー、クレジットカードによる電子商取引決済を宣言するためのクレジットキー等が設けられている。
【００１４】
また、本体ケース１ａの右側上方には、操作者側の表示器として機能するディスプレイ７が配置され、操作者から見てこのディスプレイ７の奥側には、顧客側の表示器として機能するディスプレイ８が設けられている。このディスプレイ８は、立っている顧客が見やすい角度で傾斜しており、その画面には、顧客による操作を受け付ける操作部として機能するタッチパネル８ａが設けられている。さらに、ＰＯＳ端末１には、商品コード等のバーコードを光学的に読み取るためのバーコードスキャナ９が接続されている。加えて、顧客から見てディスプレイ８の右側には、ＩＣカードＣが載置されるカード載置部１０を表面に備えるカバー１１が設けられている。
【００１５】
図３は、カバー１１の周辺部を拡大して示す外観斜視図である。図３に示すように、カード載置部１０は、傾斜してＩＣカードＣを支持する支持面１０ａと、この支持面１０ａに支持されたＩＣカードＣの下部に設けられて支持面１０ａに対し突出する突出部１０ｂとから構成されている。支持面１０ａは、ディスプレイ８が傾斜する角度とほぼ同じ角度で傾斜してＩＣカードＣを支持し、突出部１０ｂは、支持面１０ａに支持されたＩＣカードＣの落下を防止する角度で傾斜してＩＣカードＣを支持する。
【００１６】
図４は、カバー１１の内部を示す縦断側面図である。図４に示すように、ＰＯＳ端末１には、非接触でＩＣカードＣに対しデータの読取／書込を行う非接触カードリーダ／ライタ１２が設けられている。この非接触カードリーダ／ライタ１２は、カバー１１内であってカード載置部１０に載置されたＩＣカードＣに対向する位置に位置付けられている。また、ＰＯＳ端末１には、音を出すスピーカ１３が設けられている。このスピーカ１３は、カバー１１内であって非接触カードリーダ／ライタ１２の下方に位置付けられている。
【００１７】
なお、非接触カードリーダ／ライタ１２は、電波を送受信するためのアンテナ１４、緑発光するＬＥＤ１５ａ及び赤発光するＬＥＤ１５ｂを備え、アンテナ１４によってＩＣカードＣと電波を送受信して非接触でデータの読取／書込を行い、さらに、ＬＥＤ１５ａ，１５ｂによってデータの読取／書込異常等を報知する構造になっている。したがって、非接触カードリーダ／ライタ１２は、カード載置部１０に支持されたＩＣカードＣに対し電波の送受信が可能な位置に位置付けられている。
【００１８】
図５は、ＩＣカードＣが備える各部の電気的接続を概略的に示すブロック図である。図５に示すように、ＩＣカードＣはＩＣチップ２０を内蔵している。このＩＣチップ２０は、ＣＰＵ２１にバスライン２２を介して、制御プログラム等を予め格納するＲＯＭ２３、ＲＡＭ２４、不揮発性の記憶部であるＥＥＰＲＯＭ２５、通信回路２６が接続されて構成されている。この通信回路２６は、デジタル信号をアナログ信号に変換し（変調）、アナログ信号をデジタル信号に変換（復調）する回路等を備えている。通信回路２６には、電波を送受信するためのアンテナ２７が接続されている。ＥＥＰＲＯＭ２５には、ＩＤコードや残額データ等が格納されている。そして、このようなＩＣカードＣには、非接触カードリーダ／ライタ１２から送信された電波によってアンテナ２７から電力が供給される。なお、本実施の形態のＩＣカードＣは近接型のＩＣカードＣであり、その通信距離は０〜１０ｃｍである。
【００１９】
次に、ＰＯＳ端末１が備える各部の電気的接続を図６に基づいて説明する。ここで、図６は、ＰＯＳ端末１が備える各部の電気的接続を概略的に示すブロック図である。図６に示すように、ＰＯＳ端末１は、マイクロコンピュータ（Ｍｉｃｒｏｃｏｍｐｕｔｅｒ：以下、マイコンという）３０を内蔵し、このマイコン３０が各部を駆動制御する。マイコン３０は、各部を集中的に制御するＣＰＵ（Ｃｅｎｔｒａｌ　Ｐｒｏｃｅｓｓｉｎｇ　Ｕｎｉｔ）３１に、アドレスバス、データバス等のバスライン３２を介して、起動プログラムや認証コード等の固定的データを予め格納するＲＯＭ（Ｒｅａｄ　Ｏｎｌｙ　Ｍｅｍｏｒｙ）３３と売上バッファや印字バッファ等の各種バッファを構成して各種データを書き換え自在に格納するワークエリアとして機能するＲＡＭ（Ｒａｎｄｏｍ　Ａｃｃｅｓｓ　Ｍｅｍｏｒｙ）３４とが接続されて構成されている。なお、ＲＡＭ３４は、バッテリ（図示せず）によってバックアップされている。
【００２０】
次いで、マイコン３０によって駆動制御される各部を説明する。
【００２１】
キーボード４は、キーボード入力回路３５を介してバスライン３２に接続され、キーボード入力回路３５の動作によって、操作されたキーに応じた信号をマイコン３０に入力する。
【００２２】
コントロールキー５は、コントロールキー入力回路３６を介してバスライン３２に接続され、コントロールキー入力回路３６の動作によって、切り換え位置に応じた信号をマイコン３０に入力する。マイコン３０は、コントロールキー５の出力信号に応じて、ＰＯＳ端末１の動作モードを登録モード、設定モード、精算モード、点検モード等の各業務モードに設定する。
【００２３】
ディスプレイ７，８は、表示制御回路３７を介してバスライン３２に接続され、マイコン３０からの表示データが表示制御回路３７に入力されると、表示制御回路３７に駆動されて所定事項を表示する。
【００２４】
タッチパネル８ａは、タッチパネル制御回路３８を介してバスライン３２に接続され、マイコン３０からの表示データがタッチパネル制御回路３８に入力されると、タッチパネル制御回路３８に駆動されて所定事項を表示し、タッチパネル制御回路３８の動作によって、タッチパネル８ａ上に設けられたキーに応じた信号をマイコン３０に入力する。
【００２５】
バーコードスキャナ９は、スキャナ入力回路３９を介してバスライン３２に接続され、スキャナ入力回路３９の動作によって、読み取った商品コードのデータをマイコン３０に送信する。
【００２６】
非接触カードリーダ／ライタ１２は、カードリーダ／ライタ制御回路４０を介してバスライン３２に接続され、カードリーダ／ライタ制御回路４０の動作によって、ＩＣカードＣから受信したデータをマイコン３０に送信し、マイコン３０からのデータをＩＣカードＣに送信する。
【００２７】
スピーカ１３は、スピーカ制御回路４１を介してバスライン３２に接続され、マイコン３０からの信号がスピーカ制御回路４１に入力されると、スピーカ制御回路４１による駆動制御にしたがって音を出す。
【００２８】
ＬＥＤ１５ａ，１５ｂは、点灯制御回路４２を介してバスライン３２に接続され、マイコン３０からの信号が点灯制御回路４２に入力されると、点灯制御回路４２による駆動制御にしたがって点灯／消灯を行う。例えば、緑発光のＬＥＤ１５ａは読取／書込正常時に点灯し、赤発光のＬＥＤ１５ｂは読取／書込異常時に点灯するように点灯制御回路４２によって駆動制御される。
【００２９】
また、ＰＯＳ端末１には、ＨＤＤ４３が内蔵されており、マイコン３０によって駆動制御される。このＨＤＤ４３は、ＨＤＤ制御回路４４を介してバスライン３２に接続されており、制御プログラム、商品マスタファイル、売上ファイル等を記憶している。
【００３０】
さらに、ＰＯＳ端末１には、プリンタ４５が内蔵されており、マイコン３０によって駆動制御される。このプリンタ４５は、プリンタ制御回路４６を介してバスライン３２に接続され、マイコン３０からの印字データがプリンタ制御回路４６に入力されると、プリンタ制御回路４６に駆動されてレシート用紙に所定事項を印字する。さらに、このプリンタ４５には、カッタ部（図示せず）が内蔵されている。このカッタ部は、マイコン３０によって駆動制御され、レシート用紙を所定の位置において切断し、レシートとしてレシート発行口６から発行する。
【００３１】
ＰＯＳ端末１とは別体で設けられたドロワ２も、マイコン３０によって駆動制御される。このドロワ２は、ドロワ制御回路４７を介してバスライン３２に接続され、マイコン３０からの開放信号に応じてドロワ制御回路４７が駆動されてドロワ２の引出し３の開放を行う。
【００３２】
次に、顧客側のディスプレイ８に表示される表示画面を図７に基づいて説明する。ここで、図７は、顧客側のディスプレイ８に表示される表示画面を示し、（ａ）は待機画面の正面図、（ｂ）は電子マネー決済画面の正面図、（ｃ）は電子マネー残高照会画面の正面図である。
【００３３】
図７に示すように、顧客側のディスプレイ８には、通常、商品等の販売促進のためのコマーシャル画面が表示されている。そして、ディスプレイ８の右上には、電子マネーによる電子商取引決済を宣言するためのカード支払キー８ｂと電子マネーが入金されたＩＣカードＣの残高照会を宣言するための残高照会キー８ｃとを特定してそれぞれのキーの位置を示すための２つのキー画像が表示されている。これらのキー画像に位置するタッチパネル８ａの一部分がカード支払キー８ｂ及び残高照会キー８ｃとして機能する。これらは、指で触れられると入力として見なされるキーである。なお、操作部としては、タッチパネル８ａが用いられているが、これに限るものではなく、例えば顧客側のディスプレイ８の近傍に複数個のキーを設け、こられのキーがカード支払キー８ｂや残高照会キー８ｃとして用いられても良い。
【００３４】
このような構成において、ＰＯＳ端末１に内蔵されたＨＤＤ４３に格納されたプログラムがマイコン３０に実行させる機能について説明する。なお、本実施の形態においては、従来のＰＯＳ端末によって行われる処理と同様の処理については説明を省略する。
【００３５】
まず、電子マネーが入金されたＩＣカードＣによる電子マネー決済処理を図７及び図８に基づいて説明する。ここで、図８は、電子マネー決済処理の流れを概略的に示すフローチャートである。
【００３６】
なお、電子マネー決済処理においては、通常、顧客が操作者に促されたときにカード載置部１０の上方にＩＣカードＣをかざすことで、非接触カードリーダ／ライタ１２によってＩＣカードＣに対しデータの読取／書込が行われるが、これに限るものではなく、顧客が操作者に促される前にカード載置部１０にＩＣカードＣを載置しておいても良い。
【００３７】
電子マネー決済処理は、コントロールキー５の操作によって登録モードに設定されていることを条件として実行される。図８に示すように、まず、電子マネー決済処理は、バーコードスキャナ９による読み取りや置数キー等による商品コードの入力に待機する（ステップＳ１のＮ）。このとき、顧客側のディスプレイ８には、図７（ａ）に示すような待機画面が表示されている。通常、この待機画面としては、商品等の販売促進のためのコマーシャル画面が表示されている。
【００３８】
商品コードが入力されると（Ｓ１のＹ）、入力された商品コードに基づいてＨＤＤ４３の商品マスタファイルを検索するとともに、数量の入力によって確定する商品の売上処理データをＲＡＭ３４の売上バッファやＨＤＤ４３の売上ファイル等に書き込む売上処理を実行する（Ｓ２）。そして、電子マネー決済処理はキーボード４中の小計キーが押下されるまでステップＳ１及びステップＳ２を繰り返す（Ｓ３のＮ）。
【００３９】
次いで、小計キーが押下されたと判断すると（Ｓ３のＹ）、売上合計額を算出してディスプレイ７，８に表示させ、ＰＯＳ端末１のＲＡＭ３４に書き込む（Ｓ４）。その後、操作者が電子マネーキー、現金キー、クレジットキー等の決済キーを押下することによって決済方法が選択される。まず、電子マネーキーが押下されるか否かを判断する（Ｓ５）。
【００４０】
なお、ステップＳ１において商品コードが入力されてからステップＳ５において決済方法が選択されるまでの電子マネー決済処理中に、顧客によって待機画面のカード支払キー８ｂが押下されると（図７（ａ）参照）、電子マネー決済画面がディスプレイ８に表示され（図７（ｂ）参照）、フラグが立てられる。このフラグが立っていると、電子マネー決済処理は電子マネーキーが押下されたと判断する。したがって、顧客はカード支払キー８ｂを押下することで決済方法として電子マネーによる決済を選択することが可能になり、口頭で電子マネーによる決済を操作者に知らせる必要が無くなる。
【００４１】
電子マネーキーが押下されなかったと判断した場合（例えばフラグが立っていない場合や操作者によって電子マネーキーが押下されなかった場合）には（Ｓ５のＮ）、現金キーやクレジットキー等の他の決済キーが押下されるか否かを判断する（Ｓ６）。他の決済キーが押下されなかったと判断された場合には（Ｓ６のＮ）、電子マネー決済処理は、ステップＳ５に戻り、決済方法が選択されるまでステップＳ５及びステップＳ６を繰り返す。他の決済キーが押下されたと判断した場合には（Ｓ６のＹ）、押下された現金キー又はクレジットキーに応じて現金決済処理やクレジット決済処理等の他の決済処理を実行する（Ｓ７）。
【００４２】
電子マネーキーが押下されたと判断した場合（例えばフラグが立っている場合や操作者によって電子マネーキーが押下された場合）には（Ｓ５のＹ）、ＩＣカードＣからＩＤコードが読み取られることに待機する（Ｓ８のＮ）。このとき、ＩＣカードＣが予めカード載置部１０に載置されていた場合には、ＰＯＳ端末１の非接触カードリーダ／ライタ１２によってＩＣカードＣのＥＥＰＲＯＭ２５からＩＤコードをＰＯＳ端末１のＲＡＭ３４に読み込む（Ｓ８のＹ）。
【００４３】
一方、ＩＣカードＣが予めカード載置部１０に載置されていなかった場合には、操作者によってＩＣカードＣをカード載置部１０の上方にかざすように促され、これに応じて顧客がＩＣカードＣをカード載置部１０の上方にかざすと、ＰＯＳ端末１の非接触カードリーダ／ライタ１２によってＩＣカードＣのＥＥＰＲＯＭ２５からＩＤコードをＰＯＳ端末１のＲＡＭ３４に読み込む（Ｓ８のＹ）。なお、カード支払キー８ｂが押下されてフラグが立っている場合には、ＩＤコードをＰＯＳ端末１のＲＡＭ３４に読み込むと、フラグをクリアする。
【００４４】
その後、ＩＣカードＣが正規のカードであるか否かの認証を行う（Ｓ９）。詳述すると、ＰＯＳ端末１のＲＡＭ３４に読み込まれたＩＤコードがＰＯＳ端末１のＲＯＭ３３に格納された認証コードに一致するか否かを判断する。
【００４５】
ＩＣカードＣが正規のカードでないと判断した場合には（Ｓ９のＮ）、操作者及び顧客に対しエラー、すなわち正規のカードでないことを数秒間、ディスプレイ７，８及び赤発光のＬＥＤ１５ｂに報知させ（Ｓ１０）、その後、電子マネー決済処理は、ステップＳ５に戻り、再び決済方法が選択されるまで待機する（Ｓ５のＮ，Ｓ６のＮ）。
【００４６】
ＩＣカードＣが正規のカードであると判断した場合には（Ｓ９のＹ）、非接触カードリーダ／ライタ１２によってＩＣカードＣのＥＥＰＲＯＭ２５から残額データをＰＯＳ端末１のＲＡＭ３４に読み込む（Ｓ１１）。
【００４７】
次いで、残額が売上合計額以上であるか否かを判断する（Ｓ１２）。残額が売上合計額以上であると判断した場合には（Ｓ１２のＹ）、ＰＯＳ端末１のＲＡＭ３４に読み込まれた残額から売上合計額を減算して更新残額を算出し、非接触カードリーダ／ライタ１２によってＩＣカードＣのＥＥＰＲＯＭ２５に更新残額を残額データとして書き込む（Ｓ１３）。
【００４８】
最後に、ＨＤＤ４３の売上ファイル等に対する売上処理データの書き込みやレシートをレシート発行口６から発行するレシート発行等の締め処理を実行し（Ｓ１４）、電子マネー決済処理が終了する。なお、電子マネー決済処理は、ステップＳ１３とステップＳ１４との間で締めキーが押下されるまで待機し、締めキーが押下されたと判断すると、ステップＳ１４の締め処理を実行するようにしても良い。
【００４９】
また、ステップＳ１２において、残額が売上合計額以上でないと判断した場合には（Ｓ１２のＮ）、ＰＯＳ端末１のＲＡＭ３４に読み込まれた残額を売上合計額から減算して不足額を算出し、この不足額をＰＯＳ端末１のＲＡＭ３４に書き込み、非接触カードリーダ／ライタ１２によってＩＣカードＣのＥＥＰＲＯＭ２５に残額０円を残額データとして書き込む（Ｓ１５）。最後に、ディスプレイ７，８に不足額を表示させ（Ｓ１６）、その後、他の決済処理、例えば現金決済処理を実行する（Ｓ７）。
【００５０】
次に、ＩＣカードＣに入金された電子マネーの残高照会を行う電子マネー残高照会処理を図７及び図９に基づいて説明する。ここで、図９は、電子マネー残高照会処理の流れを概略的に示すフローチャートである。
【００５１】
図９に示すように、電子マネー残高照会処理は、残高照会キー８ｃが押下されるまで待機する（ステップＳ２０のＮ）。このとき、顧客側のディスプレイ８には、図７（ａ）に示すような待機画面が表示されている。通常、この待機画面としては、商品等の販売促進のためのコマーシャル画面が表示されている。顧客によって待機画面の残高照会キー８ｃが押下されると、電子マネー残高照会処理はＩＣカードＣからＩＤコードが読み取られることに待機する（Ｓ２１のＮ）。
【００５２】
このとき、ＩＣカードＣが予めカード載置部１０に載置されていた場合には、ＰＯＳ端末１の非接触カードリーダ／ライタ１２によってＩＣカードＣのＥＥＰＲＯＭ２５からＩＤコードをＰＯＳ端末１のＲＡＭ３４に読み込む（Ｓ２１のＹ）。
【００５３】
一方、ＩＣカードＣが予めカード載置部１０に載置されていなかった場合には、操作者によってＩＣカードＣをカード載置部１０の上方にかざすように促され、これに応じて顧客がＩＣカードＣをカード載置部１０の上方にかざすと、ＰＯＳ端末１の非接触カードリーダ／ライタ１２によってＩＣカードＣのＥＥＰＲＯＭ２５からＩＤコードをＰＯＳ端末１のＲＡＭ３４に読み込む（Ｓ２１のＹ）。
【００５４】
その後、ＩＣカードＣが正規のカードであるか否かの認証を行う（Ｓ２２）。詳述すると、ＰＯＳ端末１のＲＡＭ３４に読み込まれたＩＤコードがＰＯＳ端末１のＲＯＭ３３に格納された認証コードに一致するか否かを判断する。
【００５５】
ＩＣカードＣが正規のカードであると判断した場合には（Ｓ２３のＹ）、非接触カードリーダ／ライタ１２によってＩＣカードＣのＥＥＰＲＯＭ２５から残額データをＰＯＳ端末１のＲＡＭ３４に読み込み、残額を数秒間、タッチパネル８に表示させ（Ｓ２３）、電子マネー残高照会処理が終了する。このとき、ディスプレイ８には、図７（ｃ）に示すような電子マネー残高照会画面が表示される。したがって、顧客は、残高照会キー８ｃを押下することでＩＣカードＣの残高照会を自分で行うことが可能になり、操作者にＩＣカードＣの残高照会を頼む必要が無くなる。
【００５６】
また、ステップＳ２２において、ＩＣカードＣが正規のカードでないと判断した場合には（Ｓ２２のＮ）、操作者及び顧客に対しエラー、すなわち正規のカードでないことを数秒間、ディスプレイ７，８及び赤発光のＬＥＤ１５ｂに報知させ（Ｓ２４）、電子マネー残高照会処理が終了する。
【００５７】
なお、電子マネー残高照会処理は電子マネー決済処理における売上処理中等にも処理動作可能である。これにより、操作者がＰＯＳ端末１による売上処理を行っている間に、顧客は電子マネーが入金されたＩＣカードＣの残高照会を行って支払い前に予めＩＣカードＣの残額を確認することができる。
【００５８】
このように本実施の形態においては、顧客側のディスプレイ８の画面上にタッチパネル８ａを設け、顧客がタッチパネル８ａを操作することで非接触カードリーダ／ライタ１２がＩＣカードＣに対しデータの読取／書込を行うようにしたことによって、操作者によって行われていた操作が顧客によって行われ、顧客は操作者に口頭で決済方法、例えば電子マネーによる決済を知らせる必要が無くなり、さらに、自分で必要とする処理、例えば電子マネー残高照会を行うことが可能になり、また、操作者も顧客に決済方法を尋ねたり、電子マネー残高照会を行う必要が無くなるので、ＰＯＳ端末１における利便性及び作業効率の向上を実現することができる。
【００５９】
また、本実施の形態においては、顧客側に設けられ、情報を画面に表示する表示器、例えば顧客側のディスプレイ８を備え、操作部、例えばタッチパネル８ａはディスプレイ８の画面上に設けられているため、操作部を操作する顧客が画面、例えばコマーシャル画面を見る機会を増やすことができ、操作部を設けるための新たなスペースを必要とせず、装置が大型化することを防止することができる。
【００６０】
【発明の効果】
本発明によれば、顧客が操作部を操作することで非接触カードリーダ／ライタはカードに対しデータの読取／書込を行うようになり、操作者によって行われていた操作が顧客によって行われるので、商品販売データ処理装置における利便性及び作業効率の向上を実現することができる。
【図面の簡単な説明】
【図１】本発明の実施の一形態の操作者側から見たＰＯＳ端末を示す外観斜視図である。
【図２】顧客側から見たＰＯＳ端末を示す外観斜視図である。
【図３】カバーの周辺部を拡大して示す外観斜視図である。
【図４】カバーの内部を示す縦断側面図である。
【図５】ＩＣカードが備える各部の電気的接続を概略的に示すブロック図である。
【図６】ＰＯＳ端末が備える各部の電気的接続を概略的に示すブロック図である。
【図７】顧客側のディスプレイに表示される表示画面を示し、（ａ）は待機画面の正面図、（ｂ）は電子マネー決済画面の正面図、（ｃ）は電子マネー残高照会画面の正面図である。
【図８】電子マネー決済処理の流れを概略的に示すフローチャートである。
【図９】電子マネー残高照会処理の流れを概略的に示すフローチャートである。
【図１０】従来の非接触カードリーダ／ライタ及び商品販売データ処理装置を示す外観斜視図である。
【符号の説明】
１…商品販売データ処理装置（ＰＯＳ端末）、８…表示器（ディスプレイ）、８ａ…操作部（タッチパネル）、１２…非接触カードリーダ／ライタ
【図１】
2004005192.tif 000003
【図２】
2004005192.tif 000004
【図３】
2004005192.tif 000005
【図４】
2004005192.tif 000006
【図５】
2004005192.tif 000007
【図６】
2004005192.tif 000008
【図７】
2004005192.tif 000009
【図８】
2004005192.tif 000010
【図９】
2004005192.tif 000011
【図１０】
2004005192.tif 000012